(57)【要約】  【課題】重量物の運搬に際し、容易に搬送方向の方向転換が可能なハンドリフトを提供する。  【解決手段】ハンドルによって操作できる油圧昇降機構に連係する荷台を有し、該荷台を油圧により上昇し、荷台に載せた荷物を床面からわずかにリフトして荷物を搬送するためのハンドリフトにおいて、荷台の載置部にターンテーブルが脱着自在取り付けられている。【選択図】  図１
2008074330.tif 000002
【特許請求の範囲】
【請求項１】
昇降機構に連係する荷台を有し、該荷台の載置部に載せた荷物を床面からわずかにリフトして荷物を搬送するためのハンドリフトに用いられるターンテーブルであって、基板と、これに固設された台座と、該台座に回転自在に支承された盤体とから構成され、前記基板にハンドリフトの荷台の載置部と脱着自在に嵌合可能な嵌合部が形成され、前記基板の嵌合凹部を前記ハンドリフトの荷台の載置部に嵌合したとき、前記盤体の上面が前記荷台の載置部の載置面からわずかに上方に突出するように前記盤体が前記基板に支持されていることを特徴とするハンドリフト用ターンテーブル。
【請求項２】
昇降機構に連係する荷台を有し、該荷台の載置部に載せた荷物を床面からわずかにリフトして荷物を搬送するためのハンドリフトであって、前記荷台の載置部にターンテーブルを取り付けたことを特徴とするハンドリフト。
【請求項３】
前記ターンテーブルが前記荷台の載置部に対して脱着可能であることを特徴とする請求項２に記載のハンドリフト。
【請求項４】
前記ターンテーブルは、基板と、これに固設された台座と、該台座に回転自在に支承された前記荷台の載置部の載置面からわずかに上方に突出する盤体とから構成され、前記基板に前記載置部と脱着自在に嵌合可能な嵌合部が形成されていることを特徴とする請求項２に記載のハンドリフト。
【請求項５】
前記荷台の載置部は、所定の間隔を有して平行に対向する細長状の板部材から成り、前記ターンテーブルの前記基板に前記板部材と脱着自在に嵌合可能な嵌合部が形成されていることを特徴とする請求項４に記載のハンドリフト。
【発明の詳細な説明】
【技術分野】
【０００１】
本発明は、荷台の載置部に荷物を載せ、ハンドルの手動操作により、荷台を油圧などの昇降機構により上昇させて、荷台に載せた荷物を床面からわずかにリフトし、荷物を搬送するためのハンドリフト及びハンドリフト用のターンテーブルに関する。
【背景技術】
【０００２】
従来、荷物を床面からわずかにリフトして荷物を搬送する際に用いられ、ハンドルの手動操作により操舵されるハンドリフトが知られている（例えば特許文献１参照）。
【特許文献１】特開平８−１７５３９３号公報
【発明の開示】
【発明が解決しようとする課題】
【０００３】
従来のハンドリフトを用いた重量物の搬送作業においては、ハンドリフトの荷台に載った重量物と荷台の載置面との間のスライド相対回転が行われないため、ハンドリフトは直進方向の搬送しかできなかった。そのため、重量物を載せた状態でハンドリフトの搬送方向を曲げるときは、重量物を何度かジャッキアップし、ハンドリフトと重量物との角度調整を行う必要があり、搬送作業を迅速に行うことができないという問題点があった。
本発明は上記問題点を解決することを目的とするものである。
【課題を解決するための手段】
【０００４】
上記目的を達成するため本発明は、昇降機構に連係する荷台を有し、該荷台の載置部に載せた荷物を床面からわずかにリフトして荷物を搬送するためのハンドリフトに用いられるターンテーブルであって、基板と、これに固設された台座と、該台座に回転自在に支承された盤体とから構成され、前記基板にハンドリフトの荷台の載置部と脱着自在に嵌合可能な嵌合部が形成され、前記基板の嵌合部を前記ハンドリフトの荷台の載置部に嵌合したとき、前記盤体の上面が前記荷台の載置部の載置面からわずかに上方に突出するように前記盤体が前記基板に支持されていることを特徴とするものである。
また本発明は、昇降機構に連係する荷台を有し、該荷台の載置部に載せた荷物を床面からわずかにリフトして荷物を搬送するためのハンドリフトであって、前記荷台の載置部にターンテーブルを取り付けたことを特徴とするものである。
また本発明は、前記ハンドリフトに取り付けられたターンテーブルが前記荷台の載置部に対して脱着可能であることを特徴とする。
また本発明は、前記荷台の載置部は、所定の間隔を有して平行に対向する細長状の板部材から成り、前記ターンテーブルの前記基板に前記板部材と脱着自在に嵌合可能な嵌合部が形成されていることを特徴とするものである。
【発明の効果】
【０００５】
本発明は、ハンドリフトを使用した重量物の運搬に際し、容易に搬送方向の方向転換を行うことができる。
【発明を実施するための最良の形態】
【０００６】
以下に、本発明の実施の形態を添付した図面を参照して詳細に説明する。
図１はハンドリフトの全体側面図を示している。ハンドリフト２は、ハンドル４と、荷物を載置するための荷台６と、車輪８を支持する車輪支持体（図示省略）を備えている。
【０００７】
前記車輪支持体と荷台６との間には、油圧昇降機構（図示省略）が介装され、ハンドル４を上下に揺動操作することで、荷台６を上下動できる構成となっている。荷台６の載置部６ａ，６ｂは、所定の間隔を存して平行に対向する細長状板材１０，１２によって構成されている。
【０００８】
前記板材１０，１２の先端部の下側には、それぞれ搬送ローラ１４が配置装着されている。前記荷台６の載置部６ａ，６ｂには、ターンテーブル１６が脱着自在に取り付けられている。ターンテーブル１６は、図３に示すように、基板１８と、これに固着された台座２０と、該台座２０に軸により回転自在に支承された円盤状の盤体２２とから構成されている。
【０００９】
前記基板１８は、の両側に嵌合凹部１８ａ，１８ｂが形成され、該嵌合凹部１８ａ，１８ｂは、前記基板１８の長手方向を図２に示すように、前記板材１０，１２に対して直角に配置した状態で、前記板材１０，１２に脱着自在に密嵌可能な構成となっている。
【００１０】
前記ターンテーブル１６は、前記基板１８の嵌合凹部１８ａ，１８ｂを前記板材１０，１２に嵌合して、前記板材１０，１２間に掛架した状態において、盤体２２の表面は、前記嵌合凹部１８ａ，１８ｂが形成された部分の基板１８の凸状の表面より若干上方に突出し、板材１０，１２即ち載置部６ａ，６ｂの載置面に対して若干上方に突出するとともに、この盤体２２の表面は、載置部６ａ，６ｂに対して水平となるように構成されている。
【００１１】
上記した構成において、重量の大きな長い運搬物２４を搬送する場合には、図４に示すように、荷台６の載置部６ａ，６ｂの略中央にターンテーブル１６を装着し、運搬物２４の一方側の底面を盤体２２に載せ、運搬物２４の他方側の底面には、搬送ローラ２６を配置し、ハンドル４を操作して、荷台６を上昇させ、運搬物２４の一方側を、床面からわずかに持ち上げる。
【００１２】
該状態において、ハンドリフト２は、盤体２２を中心として、運搬物２４に対して回転方向に任意に方向を変えることができる。図５に示すように、ハンドリフト２を運搬物２４に対して回転させ、曲げた搬送方向に運搬物２４を牽引することで、運搬物２４の搬送方向をカーブに沿って容易に方向変換させることができる。
【００１３】
ターンテーブル付きのハンドリフト２を長く重たい重量物の搬送に使用した後は、ハンドリフト２からターンテーブル１６を取り外し、通常のハンドリフトとして使用できる。
【図面の簡単な説明】
【００１４】
【図１】本発明に係るハンドリフトの説明的側面図である。
【図２】ハンドリフトの説明的正面図である。
【図３】ターンテーブルの説明的正面図である。
【図４】本発明の説明図である。
【図５】本発明の説明図である。
【符号の説明】
【００１５】
２      ハンドリフト
４      ハンドル
６      荷台
６ａ    載置部
６ｂ    載置部
８      車輪
１０    板材
１２    板材
１４    搬送ローラ
１６    ターンテーブル
１８    基板
１８ａ  嵌合凹部
１８ｂ  嵌合凹部  
２０    台座
２２    盤体
２４    運搬物
２６    搬送ローラ
【図１】
2008074330.tif 000003
【図２】
2008074330.tif 000004
【図３】
2008074330.tif 000005
【図４】
2008074330.tif 000006
【図５】
2008074330.tif 000007